(57)【要約】      （修正有）【課題】電磁石や照明手段などに電力を供給する接続端子に対し、リード線を接続する場合に、コネクタの仕様変更にも迅速に対応することが出来る新規な電磁カウンタを提供する。【解決手段】電磁石用の接続端子２４の外端部２７に、ピンコンタクト３１を差し込むと、側面に突出する係止突起３３が、フレーム部材ｂに設けた係合凹部に係合して、リード線３０をワンタッチ式で接続できる。よって、規格の異なるコネクタ３４が接続されたリード線を予め複数種用意しておけば、電磁カウンタを取り付ける精密機器側の仕様変更等に応じて、対応するコネクタを備えたリード線を選択的に接続できる。接続端子の外端部２７をカバー部材の外側に突出させれば、接続端子２４に対し、リード線３０を接続する場合と、配線パターンに直接半田付けする場合の双方に対応できる。【選択図】図１
0003119889.tif 000002
【実用新案登録請求の範囲】
【請求項１】
電磁石と、該電磁石の励磁，消磁により揺動動作するアンクルと、該アンクルの揺動動作に伴い所定角度ずつ回転する複数の数字車を備えた電磁カウント機構が装備されたフレーム部材を、箱型のカバー部材で覆うと共に、該カバー部材の前面に設けた窓孔の近傍に前記各数字車を配置して表示部を形成し、各数字車により表示されるカウント数字を前記窓孔から読み取るよう形成した電磁カウンタであって、
前記電磁石に電力を供給するための電磁石用接続端子が、前記フレーム部材の側面に添って配設され、該電磁石用接続端子の外端部には、電磁石用リード線の一端に設けたピンコンタクトにより該電磁石用リード線の一端が抜差し自在に挿入可能であり、且つ、前記フレーム部材又は前記カバー部材に、前記ピンコンタクトの側面に突出する係止突起が弾性係合する係合凹部を備えることを特徴とする電磁カウンタ。
【請求項２】
前記フレーム部材に、前記表示部を照らす照明手段がさらに装備されると共に、該照明手段に電力を供給するための照明手段用接続端子が、前記フレーム部材の側面に添って配設され、該照明手段用接続端子の外端部には、照明手段用リード線の一端に設けたピンコンタクトにより該照明手段用リード線の一端が抜差し自在に挿入可能であり、且つ、前記フレーム部材又は前記カバー部材に、前記照明手段用リード線のピンコンタクトの側面に突出する係止突起が弾性係合する第二係合凹部を備えることを特徴とする請求項１記載の電磁カウンタ。
【請求項３】
前記リード線の他端にコネクタが接続されていることを特徴とする請求項１又は２記載の電磁カウンタ。
【請求項４】
規格の異なるコネクタが他端に接続されたリード線が複数種用意され、任意のコネクタを備えたリード線を選択的に接続可能であることを特徴とする請求項１又は２又は３記載の電磁カウンタ。
【請求項５】
前記接続端子の外端部が、前記カバー部材の外側に突出して、外部配線に対する半田付けも可能であるよう形成したことを特徴とする請求項１〜４の何れか１項記載の電磁カウンタ。
【考案の詳細な説明】
【技術分野】
【０００１】
本考案は、例えばゲーム機、コピー機、プリンタ装置などの各種精密機器の内部に設置される電磁カウンタに関し、詳しくは、この種電磁カウンタに対する電気的接続構造の改良に関する。
【背景技術】
【０００２】
例えば特許文献１などに開示されるように、少なくとも、電磁石と、該電磁石の励磁，消磁により揺動動作するアンクルと、該アンクルの先端に形成された爪部が係合するラチェットギヤが側面に形成された最下位桁の数字車と、側面に伝達ギヤが形成された所要数の上位桁の数字車と、これら数字車間に介在して桁上げを行うピニオンなどを備え、アンクルの揺動動作に伴い各数字車が所定角度ずつ回転するようにした電磁カウント機構が、従来から知られている。
【０００３】
この種電磁カウント機構は通常、電磁石により励磁された鉄心に鉄粉などが付着してアンクルの揺動動作に支障を来たすことが無いよう、筐体内に収容して防塵性を確保し、電磁カウンタとして提供されている。筐体としては、電磁石、アンクル、数字車が所定箇所に配設されたフレーム部材を、箱型のカバー部材に挿入したものが通常用いられ、カバー部材の前面に設けた窓孔の近傍に各数字車を配置して表示部を形成し、各数字車により表示されるカウント数字を窓孔から読み取るようになっている。
【０００４】
また、本出願人は、この種電磁カウンタに照明手段としてのＬＥＤを内蔵した新規な電磁カウンタを提案し、先に出願している（特許文献２、３参照）。
図１２〜図１４を参照して、本出願人による先提案の照明手段内蔵型電磁カウンタの例を説明する。図中、ａは電磁カウント機構、ｂはこの電磁カウント機構ａを装備するフレーム部材、ｃはこのフレーム部材ｂを覆う箱型のカバー部材をそれぞれ示す。
電磁カウント機構ａは、電磁石１と、該電磁石１の励磁，消磁により揺動動作するアンクル２と、該アンクル２の先端に形成された爪部３が係合するラチェットギヤ４’が側面に形成された最下位桁の数字車４と、側面に伝達ギヤ５が形成された所要数の上位桁の数字車６，６・・・と、これら数字車４，６，６・・・間に介在して桁上げを行うピニオン７などを備え、アンクル２の揺動動作に伴い各数字車４，６，６・・・が所定角度ずつ回転して数字がカウントされるようになっている。
フレーム部材ｂは、後面開口部７からカバー部材ｃに挿入され、カバー部材ｃの前面に設けた窓孔８の近傍に前記各数字車を配置して表示部を構成している。
照明手段としてのＬＥＤ９は、配線１０を備えたプリント基板１１の先端に搭載され、図１２の如くそのプリント基板１１をフレーム部材ｂの左右何れかの側面に接着したり、図１４の如くフレーム部材ｂの下側の側面に接着するなどして、各数字車４，６，６・・・の側方部位に配設されるか（図１２）、若しくは中央部位に配設（図１４）される。
【０００５】
尚、この種電磁カウンタにおいては、通常、電磁石１に電力を供給するための接続端子１２が、フレーム部材ｂの側面に添って配設され、該接続端子１２の外端部１３は、カバー部材ｃの外側に突出して、電磁カウンタを設置する基盤１００に形成された配線パターン（外部配線）１０１に対し半田付け可能であると共に、リード線（不図示）の一端を半田付け可能になっている。
また、本出願人による先提案の電磁カウンタは、図に示すように、ＬＥＤ９に電力を供給するための配線１０の端部（照明手段用接続端子）１４が、カバー部材ｃの外側に突出して、前記基盤１００の外部配線１０１に対し半田付け可能であると共に、リード線（不図示）の一端を半田付け可能になっている。
【０００６】
【特許文献１】特開昭５７−９３４８７号公報
【特許文献２】特開２００５−２２２１４３号公報
【特許文献３】特願２００５−１８２２２５号
【考案の開示】
【考案が解決しようとする課題】
【０００７】
ところで、この種電磁カウンタにおける電気的接続構造は、図１２〜図１４に示すものに限定されず、各種の態様が存在するが、大凡、前述したように、カバー部材ｃの外側に突出する接続端子を、電磁カウンタ設置基盤に形成した配線パターンに直接半田で接続するタイプと、接続端子にリード線を接続するタイプの二つに大別される。リード線接続に限定されるタイプでは、接続端子の外端部がカバー部材の外側に突出する場合と内側に位置する場合があり、リード線の先端を接続端子の外端部に半田付けするようになっている。
【０００８】
しかし、このような従来の電気的接続構造においては、以下のような問題があった。
すなわち、小型化が促進している電磁カウンタに対し、所定の長さを有するリード線を半田付けにより接続するので、その半田付け作業時にリード線が邪魔になると共に、半田付け自体が緻密な作業な為、電磁カウンタの組み立てに時間がかかると共に、製造コストにも影響する。
また、通常、リード線の他端にはコネクタが接続されるが、前述した半田付け作業による問題等を解消するため、実際には、コネクタ付きリード線を接続端子に半田付けした電磁カウンタを予め大量に組み立てておき、顧客からの注文に応じて多数個の製品を短期で納入できるようにしている。しかし、電磁カウンタを取り付ける精密機器側の仕様変更等により、コネクタを接続する被接続部の規格、形状等が変更されてコネクタの変更を余儀なくされたり、若しくは図１３のように、設置基盤に直接半田付けするタイプに変更された場合は、短納期の要求に応じることができない虞れがある。
【０００９】
本考案はこのような従来事情に鑑みてなされたもので、その目的とする処は、電磁石や照明手段などに電力を供給するための接続端子に対し、リード線を接続する場合において、コネクタの仕様変更にも迅速に対応することが出来る、新規な電磁カウンタを提供することにある。また、本考案の他の目的は、前記接続端子に対し、リード線を接続する場合と、プリント配線（外部配線）などに直接半田付けする場合との双方に対し、容易に対応可能とすることにある。
【課題を解決するための手段】
【００１０】
以上の目的を達成するために、本考案に係る電磁カウンタは、電磁石と、該電磁石の励磁，消磁により揺動動作するアンクルと、該アンクルの揺動動作に伴い所定角度ずつ回転する複数の数字車を備えた電磁カウント機構が装備されたフレーム部材を、箱型のカバー部材で覆うと共に、該カバー部材の前面に設けた窓孔の近傍に前記各数字車を配置して表示部を形成し、各数字車により表示されるカウント数字を前記窓孔から読み取るよう形成した電磁カウンタであって、
前記電磁石に電力を供給するための電磁石用接続端子が、前記フレーム部材の側面に添って配設され、該電磁石用接続端子の外端部には、電磁石用リード線の一端に設けたピンコンタクトにより該電磁石用リード線の一端が抜差し自在に挿入可能であり、且つ、前記フレーム部材又は前記カバー部材に、前記ピンコンタクトの側面に突出する係止突起が係脱自在に弾性係合する係合凹部を備えることを特徴とする（請求項１）。
【００１１】
このような構成によれば、電磁石用接続端子の外端部に、ピンコンタクトを差し込むと、該ピンコンタクトの側面に突出する係止突起が係合凹部に弾性係合するので、電磁石用リード線をワンタッチ式で接続することができる。よって、リード線を接続する場合において、半田付けが不要になると共に、規格の異なるコネクタが他端に接続されたリード線を予め複数種用意しておくことで、電磁カウンタを取り付ける精密機器側の仕様変更等に応じて、対応するコネクタを備えたリード線を選択的に接続することができ、顧客の要望に応じたコネクタ付きリード線が接続された電磁カウンタを、短期間で納入することができる。
【００１２】
前記した電気的接続構造は、電磁石用接続端子への採用に限定されず、照明手段用接続端子にも採用することができる。
すなわち、前記フレーム部材に、前記表示部を照らす照明手段がさらに装備されると共に、該照明手段に電力を供給するための照明手段用接続端子が、前記フレーム部材の側面に添って配設された場合において、該照明手段用接続端子の外端部には、照明手段用リード線の一端に設けたピンコンタクトにより該照明手段用リード線の一端が抜差し自在に挿入可能であり、且つ、前記フレーム部材又は前記カバー部材に、前記照明手段用リード線のピンコンタクトの側面に突出する係止突起が係脱自在に弾性係合する第二係合凹部を備えることが好ましい（請求項２）。
【００１３】
この場合、照明手段を備えた電磁カウンタにおいて、照明手段用接続端子にリード線を接続する場合も、半田付けが不要になると共に、規格の異なるコネクタが他端に接続されたリード線を予め複数種用意しておくことで、電磁カウンタを取り付ける精密機器側の仕様変更等に応じて、対応するコネクタを備えたリード線を選択的に接続することができる。よって、顧客の要望に応じたコネクタ付きリード線が接続された照明手段内蔵電磁カウンタを、短期間で納入することができる。
【００１４】
前述した接続端子の外端部が、前記カバー部材の外側に突出して、プリント配線などの外部配線に対する半田付けが可能であるよう形成することが好ましい。
この場合、接続端子に対し、前記したようにリード線をワンタッチ式で接続することができると共に、該接続端子を、設置基盤用のプリント配線（外部配線）などに直接半田付けすることもできる。
【００１５】
尚、本考案において、数字車の数は必ずしも限定されるものではないが、アンクルの揺動動作に伴い所定角度ずつ回転する最下位桁の数字車と、側面に伝達ギヤが形成された所要数の上位桁数字車と、これら各数字車間に介在して桁上げを行うピニオンとから構成されたものが一般に用いられており、本考案ではそのような態様を含むことは言うまでもない。
【考案の効果】
【００１６】
本考案に係る電磁カウンタは以上説明したように構成したので、リード線を接続する場合において、半田付け作業を不要として、ワンタッチ式でリード線を接続することが出来るので、電磁カウンタの組み立て作業が大幅に簡略化され、製造コストの低減を図ることができる。また、リード線を接続する場合において、電磁カウンタを取り付ける精密機器側の仕様変更等に応じて、対応するコネクタを備えたリード線を選択的に接続することができ、顧客の要望に応じたコネクタ付きリード線が接続された電磁カウンタを、短期間で納入することができる。
さらに、接続端子をカバー部材の外側に突出させた場合は、前記したようにリード線を接続する場合と、外部配線などに直接半田付けする場合との双方に対し、容易に対応することができるなど、多くの効果を有する。
【考案を実施するための最良の形態】
【００１７】
以下、本考案の実施形態の例を図面を参照しながら説明するが、本考案は図示例に限定されるものではない。
【００１８】
本例の電磁カウンタの基本的構成の概要は、図１２〜図１４に示すものと同様であり、同一の部分については図示及び説明が重複するので省略し、以下、図１２〜図１４を一部参照しながら、本例の特徴部分について、図１〜図５に基づき説明する。
【００１９】
図１は、本例の電磁カウンタに組み込まれた電磁カウント機構ａを構成する電磁石１の拡大斜視図で、該電磁石１は、プラスチックからなる左右の側板２１，２２の間にコイル２３を巻回してなり、一方の側板２１に、電磁石１に電力を供給するための電磁石用接続端子２４，２４が保持されている。
この電磁石１は、平面視略コ字形のフレーム部材ｂに組み込まれ、側板２１は該フレーム部材ｂの左側の側面板２５に形成した開口２６に嵌め込まれ、接続端子２４，２４は、フレーム部材ｂの側面に添って配設される。
接続端子２４，２４の内端部分にはコイル２３の基端部分が巻き回し状に接続され、外端部２７，２７はカバー部材ｃの内側に位置し、各外端部２７，２７には、電磁石用リード線３０，３０がワンタッチ式で接続されるようになっている。
【００２０】
電磁石用リード線３０は、その一端にピンコンタクト３１が連結されており、該ピンコンタクト３１が接続端子２４の外端部２７に抜差し自在に挿入されるようになっている。また、そのピンコンタクト３１の側面には、フレーム部材ｂの側縁部分に形成した係合凹部３２に係脱自在に弾性係合するバネ片状の係止突起３３が一体に突設されている。電磁石用リード線３０の他端には、コネクタ３４が接続されている。
【００２１】
係止凹部３２は、フレーム部材ｂにおける前記係止突起３３と対応する箇所に形成された切欠き部分であり、フレーム部材ｂに組み込んだ電磁石１における接続端子２４の外端部２７にピンコンタクト３１を差し込んだ際、係止突起３３が引っ掛かって、接続端子２４に対するリード線３０の接続が、解除可能に固定されるようになっている。
【００２２】
このような構成になる本例の電磁カウンタによれば、カバー部材ｃの内側に位置する電磁石用接続端子２４，２４の外端部２７，２７に、ピンコンタクト３１，３１を差し込むと、該ピンコンタクトの側面に突出する係止突起３３が、フレーム部材ｂの係合凹部３２，３２に弾性係合するので、電磁石用リード線３０，３０をワンタッチ式で、取り外し可能に接続することができる。
【００２３】
図６，図７には、前述した係合凹部３２を、フレーム部材ｂにおける前記係止突起３３と対応する箇所に形成された開口３５で構成した場合を示す。この場合も、フレーム部材ｂに組み込んだ電磁石１における接続端子２４の外端部２７にピンコンタクト３１を差し込んだ際、係止突起３３が開口３５に弾性的に引っ掛かって、接続端子２４に対してリード線３０を、ワンタッチ式で、取り外し可能に接続することができる。
【００２４】
図８，図９には、前述した係合凹部３２を、電磁石１の側板２１における前記係止突起３３と対応する箇所の壁部３６に形成された開口３７で構成した場合を示す。この場合、電磁石１における接続端子２４の外端部２７にピンコンタクト３１を差し込んだ際、係止突起３３が開口３７に弾性的に引っ掛かって、接続端子２４に対してリード線３０を、ワンタッチ式で、取り外し可能に接続することができる。
【００２５】
図１０，図１１には、前述した係合凹部３２を、カバー部材ｃの側面板３８における前記係止突起３３と対応する箇所に形成された開口３９で構成した場合を示す。この場合、フレーム部材ｂに組み込まれ且つカバー部材ｃに収容された電磁石１における接続端子２４の外端部２７にピンコンタクト３１を差し込んだ際、係止突起３３が開口３９に弾性的に引っ掛かって、接続端子２４に対してリード線３０を、ワンタッチ式で、取り外し可能に接続することができる。
【００２６】
尚、図１０，図１１では、本例の電磁カウンタに内蔵された照明手段としてのＬＥＤ９に電力を供給するための接続端子４０に対する電気的接続構造を示している。
すなわち、照明手段用接続端子４０，４０は、電磁石用接続端子２４，２４と対称箇所に配設されており、この接続端子４０，４０に対し、照明手段用のリード線３０’のピンコンタクト３１が差し込まれる。このピンコンタクト３１も前記した係止突起３３を備えると共に、カバー部材ｃの側面板３８’における該係止突起３３と対応する箇所には開口３９’で構成される係合凹部が形成され、接続端子４０，４０の外端部にピンコンタクト３１を差し込んだ際、係止突起３３が開口３９’に弾性的に引っ掛かって、接続端子４０に対してリード線３０’を、ワンタッチ式で、取り外し可能に接続することができる。
【００２７】
また、図１０，図１１に示す例では、電磁石用接続端子２４，２４と照明手段用接続端子４０，４０の各外端部を、カバー部材ｃの外側に突出させて、前記したようにリード線３０，３０’をワンタッチ式で接続する場合と、プリント基板などの外部配線に対し直接半田付けする場合との双方に対応可能となっている。
【００２８】
図示は省略するが、図１〜図９に係るそれぞれの例においても、各例に開示された電磁石用接続端子２４，２４の電気的接続構造と同様の構成になる、照明手段用接続端子４０，４０用の電気的接続構造を備えることができる。照明手段を内蔵しない電磁カウンタであれば、各例に図示された電磁石用接続端子２４，２４の電気的接続構造のみを備えることは言うまでもない。
また、図１〜図９に係るそれぞれの例においても、各接続端子の外端部をカバー部材ｃの外側に突出させれば、リード線をワンタッチ式で接続する場合と、プリント基板などの外部配線に対し直接半田付けする場合との双方に対応可能となることは言うまでもない。
【００２９】
以上、本考案の実施形態の例を図面を参照して説明したが、本考案に係る電磁カウンタは図示例に限定されるものではなく、実用新案登録請求範囲の各請求項に記載された技術的思想の範疇において種々の変更が可能であることは言うまでもない。
【図面の簡単な説明】
【００３０】
【図１】本考案の電磁カウンタの実施形態例に係り、電磁石とその接続端子に接続するリード線の関係を示す斜視図。
【図２】図１に示す電磁石の接続端子にリード線を接続した状態の側面図。
【図３】図１に係る電磁カウンタのフレーム部材の平面図。
【図４】図３に示すフレーム部材に電磁石を組み込むと共に、その電磁石の接続端子にリード線を接続した状態の平面図。
【図５】図４に示すフレーム部材の側面図。
【図６】図３に係るフレーム部材の係合凹部の変形例を示す平面図。
【図７】図６に示すフレーム部材に電磁石を組み込むと共に、その電磁石の接続端子にリード線を接続した状態の平面図。
【図８】図２に係る電磁石とリード線の接続構造の変形例を示す側面図。
【図９】図８における係合凹部を示す（Ｘ）−（Ｘ）線に沿う断面図。
【図１０】電磁石とリード線の接続構造の変形例と、照明手段とリード線の接続構造の一例を示す、電磁カウンタの前面側の斜視図。
【図１１】図１０に係る電磁カウンタの後面側の斜視図。
【図１２】従来の電磁カウンタの一例に係る分解斜視図。
【図１３】図１２に係る電磁カウンタの基盤への取付け状態を示す斜視図。
【図１４】従来の電磁カウンタの他例に係る一部切欠平面図。
【符号の説明】
【００３１】
ａ：電磁カウント機構
ｂ：フレーム部材
ｃ：カバー部材
１：電磁石
２：アンクル
４，６：数字車
９：ＬＥＤ（照明手段）
２４，４０：接続端子
２７：外端部
３０：リード線
３１：ピンコンタクト
３３：係止突起
３４：コネクタ
３２：係合凹部
３５，３７，３９：開口（係合凹部）
【図１】
0003119889.tif 000003
【図２】
0003119889.tif 000004
【図３】
0003119889.tif 000005
【図４】
0003119889.tif 000006
【図５】
0003119889.tif 000007
【図６】
0003119889.tif 000008
【図７】
0003119889.tif 000009
【図８】
0003119889.tif 000010
【図９】
0003119889.tif 000011
【図１０】
0003119889.tif 000012
【図１１】
0003119889.tif 000013
【図１２】
0003119889.tif 000014
【図１３】
0003119889.tif 000015
【図１４】
0003119889.tif 000016